(57)【要約】      （修正有）【課題】ＬＥＤを用いて多機能効果を備えた傘先端に取り付ける警告装置を提供する。【解決手段】傘先端に取り付ける警告装置４は、基本体１と、ＬＥＤユニット２と、透明蓋体３とを備える。前記基本体の下端に近い箇所には、適度な弾性を備え伸縮する収納空間１１を形成し、基本体の上端にはネジ山部１３を延伸し、ネジ山部の上端面には、前記ＬＥＤユニットを平たく安定した状態で配置するための空間を凹設する。前記透明蓋体の下端に近い箇所には、基本体のネジ山部に係合する内ネジ山３１を形成し、前記内ネジ山に沿った上方にＬＥＤユニットを収めるための空間を内側方向に凹設し、前記透明蓋体の上端には複数の突出部３３を形成する。警告装置と傘上端とを結合させると、夜間の警告作用を生じさせ、傘を杖として使用する場合は、蓋体の一端に配置した突出部が地面に対して滑り止め作用を起こすため、多機能効果を達成することができる。【選択図】図１
0003167427.tif 000002
【実用新案登録請求の範囲】
【請求項１】
基本体と、ＬＥＤユニットと、透明蓋体とを備える傘先端に取り付ける警告装置において、
前記基本体には、下端に近い箇所に適度な弾性を備え伸縮する収納空間を形成し、基本体の上端にはネジ山部を延伸し、ネジ山部の上端面には、前記ＬＥＤユニットを平たく安定した状態で配置するための空間を凹設し、
前記透明蓋体には、下端に近い箇所に基本体のネジ山部に係合する内ネジ山を形成し、前記内ネジ山に沿った上方にＬＥＤユニットを収めるための空間を内側方向に凹設し、前記透明蓋体の上端には複数の突出部を形成することを特徴とする傘先端に取り付ける警告装置。
【請求項２】
前記収納空間内部には、上から下へと間隔をあけ、傘先端の石突きを嵌入時に滑り止め作用となる輪状突縁部を配置することを特徴とする請求項１に記載の傘先端に取り付ける警告装置。
【請求項３】
前記基本体一端にはチェーンを取り付けるための穴を予め配置することを特徴とする請求項１に記載の傘先端に取り付ける警告装置。
【考案の詳細な説明】
【技術分野】
【０００１】
本考案は、傘先端に取り付ける警告装置に関し、主に、傘先端の石突きに取り付ける警告装置は、夜間の警告装置となる他、傘を杖として使用する場合は、前記警告装置の一端の蓋体が滑り止め作用を生じさせるか、前記警告装置を傘先端から取り外して単独形態にし一般照明として使用することも可能とし、多機能効果を備える傘先端に取り付ける警告装置に係る。
【背景技術】
【０００２】
現在、業者は各種物品（例えば夜間や視線が悪い時に着用する衣服に用いたり物品上に取り付ける独立状態の警告物品）上に応用した警告装置を設計開発し、夜間外出時に周囲に行き来する車両が誤って衝突しないよう防止する安全警告装置として使用することができる。また、現有する警告装置の構成は、組み合わせる物品に対応させた良好な機能形態を備えているため、実際使用上において最良の安全警告装置効果を発揮している。
【０００３】
しかし、現有の各種物品に取り付ける警告装置の構成は、通常、使用上の機能が単一であり、多機能の経路として使用できず、警告装置は単一物品に組み合わせる使用機能だけを備えたものとなる。
【考案の概要】
【考案が解決しようとする課題】
【０００４】
本考案の目的は、傘先端に取り付ける警告装置を提供することにあり、これによって、現有技術での警告装置には単一機能しか備えられていない問題点を解決する。
【課題を解決するための手段】
【０００５】
上述の目的を解決するため、本考案は、傘先端に取り付ける警告装置に基本体、ＬＥＤユニット、及び透明蓋体を備える。
前記基本体の下端に近い箇所に適度な弾性を備え伸縮する収納空間を形成し、前記基本体の上端にはネジ山部を延伸し、前記ネジ山部の上端面にはＬＥＤユニットを平たく安定した状態で配置するための空間を凹設する。
前記透明蓋体の下端に近い箇所には基本体のネジ山部に係合する内ネジ山を形成し、前記内ネジ山に沿う上方向にＬＥＤユニットを収めるための空間を内側方向に凹設し、透明蓋体の上端には複数の突出部を形成する。
更に、収納空間内部には、上から下へ間隔をあけ、傘先端の石突きを嵌入時に滑り止め作用となる輪状突縁部を配置する。
更に、基本体の一端にはチェーンを取り付けるための穴を予め配置する。
前述構造を採用した後、本考案の開示する警告装置は、基本体の収納空間を傘先端の石突きに対応させ、石突きを嵌入させ、ＬＥＤユニットの使用によって夜間の安全警告効果を生じさせる。それと同時に、本考案の傘を杖として使用する場合は、警告装置の透明蓋体一端に配置した複数の突出部が、地面との間に滑り止め作用を起こす。これにより、傘の先端に取り付けた警告装置には多機能効果を備えさせられる。
【考案の効果】
【０００６】
本考案の傘先端に取り付ける警告装置には、次の如き効果を備える。
（１）傘上端に結合し、夜間の安全警告作用を有する。
（２）傘を使用せずに杖として使用する場合、その一端の突出部が地面に対して滑り止め効果を起こす。
（３）前記警告装置の基本体一端に形成した収納空間は、傘上端の石突きの各規格に適用可能で、密着結合できる。
（４）前記警告装置を傘上端から取り外す場合、簡単な操作、便利な携帯、一般の照明ライトとしての便利な使用を実現するため、警告装置の使用上に多機能性を備えた臨機応変な器具となる。
【図面の簡単な説明】
【０００７】
【図１】本考案の開示する警告装置の構成要素に関する分解斜視図である。
【図２】本考案の開示する警告装置を傘先端に取り付けた実施例図である。
【図３】本考案の開示する警告装置と傘先端との組み合わせ時の実施例図である。
【図４】本考案の開示する警告装置を傘先端に取り付けた第二実施例図である。
【図５】本考案の開示する警告装置についての別の実施形態図である。
【図６】本考案の開示する警告装置に関する第三実施例図である。
【考案を実施するための形態】
【０００８】
本考案の技術手段を更に解説するために、次に、具体的な実施例を用いて本考案の詳細説明を行なう。
【０００９】
図１に示したものは、本考案の開示する傘先端に取り付ける警告装置であり、主に、傘５先端に取り付ける警告装置４は、基本体１、ＬＥＤユニット２、透明蓋体３を備える。
【００１０】
前記基本体１は、下端に近い箇所に適度な弾性を備え伸縮する収納空間１１（図２参照）を形成し、収納空間１１内部に沿って上から下へと間隔をあけて輪状突縁部１２を配置し、基本体１の上端にはネジ山部１３を延伸し、ネジ山部１３の上端面には空間１４を凹設する。
【００１１】
前記ＬＥＤユニット２は、基本体１上端に凹設した空間１４に応じて決定された照明部品とし、前記ＬＥＤユニット２の電源供給は、底部に組み合わせた乾電池２１を電力供給源とする。
【００１２】
前記透明蓋体３は、下端に近い箇所に基本体１のネジ山部１３に応じて決定される内ネジ山３１（図１参照）を形成し、前記内ネジ山３１に沿う上方向に空間３２を内側方向に凹設し、また、透明蓋体３の上端には複数の突出部３３を形成する。
【００１３】
前記基本体１、ＬＥＤユニット２、透明蓋体３を組み合わせた実施例（図１及び図３参照）は、ＬＥＤユニット２をフラットに安定状態で基本体１の上端面に凹設した空間１４に配置し、ＬＥＤユニット２中間箇所は基本体１の空間１４周囲縁上に架け渡して配置する。更に、透明蓋体３の内ネジ山３１と基本体１上端のネジ山部１３とは一方位に回転させて締め付け、ＬＥＤユニット２をその間に挟み込み、しかも光源端を透明蓋体３の空間３２内に位置させ、前記に基づき、警告装置４が組立られる。
【００１４】
組み立てた警告装置４と傘５上端の石突き５１とを結合させた実施例（図２及び図３参照）は、警告装置４の基本体１の下端に近い箇所に位置する収納空間１１を、傘５上端の石突き５１に対応させて嵌合するのと同時に、収納空間１１内部に配置し間隔をあけた複数の輪状突縁部１２が傘５上端の石突き５１に対して最良の滑り止めを備えて接触する。これにより、傘５は、夜間使用する場合、警告装置４中のＬＥＤユニット２のスイッチをオンにすると、ＬＥＤユニット２が発光する状態のもと、安全警告機能を達成することができる。
【００１５】
また、上端に警告装置４を取り付けた傘５を傘として使用せずに杖として使用する場合（図４参照）は、警告装置４の透明蓋体３一端の複数の突出部３３が地面６に対して滑り止め作用を起こす。これにより、傘を杖として使用する際に、安全性を備えた補助具を使用者に提供することができる。
【００１６】
また、警告装置４は、傘５上端の石突き５１から取外し、単独形態とし（図５参照）、基本体１の一端に予めあけた穴１５にチェーン７を付け加えることも可能である。これにより、使用者は、夜間や視線が悪い時に、一般の照明器具として使用できる（図６参照）。この時、警告装置４中のＬＥＤユニット２は、持続的に発光させる状態に設定する。
【００１７】
実際の使用において、本考案の開示する警告装置には次の長所を備える。
（１）傘上端に結合し、夜間の安全警告作用を有する。
（２）傘を使用せずに杖として使用する場合、その一端の突出部が地面に対して滑り止め効果を起こす。
（３）前記警告装置の基本体一端に形成した収納空間は、傘上端の石突きの各規格に適用可能で、密着結合できる。
（４）前記警告装置を傘上端から取り外す場合、簡単な操作、便利な携帯、一般の照明ライトとしての便利な使用を実現するため、警告装置の使用上に多機能性を備えた臨機応変な器具となる。
【００１８】
前記実施例と図面は、本考案の製品形態と様式を制限するものでなく、いかなる技術分野に属する普通の技術員が本考案に対して行なう適当な変化や修飾は全て、本考案の実用新案登録請求の範囲を離脱しないものとする。
【符号の説明】
【００１９】
１        基本体
１１      収納空間
１２      輪状突縁部
１３      ネジ山部
１４      空間
１５      穴
２        ＬＥＤユニット
２１      乾電池
３        透明蓋体
３１      内ネジ山
３２      空間
３３      突出部
４        警告装置
５        傘
５１      石突き
６        地面
７        チェーン
【図１】
0003167427.tif 000003
【図２】
0003167427.tif 000004
【図３】
0003167427.tif 000005
【図４】
0003167427.tif 000006
【図５】
0003167427.tif 000007
【図６】
0003167427.tif 000008